(57)【要約】【課題】送別会等の主賓に対して贈呈することを意図したアルバムを、印刷データ収集の段階からインターネット網を介して処理することができるアルバム制作システムを提供すること。【解決手段】グループの纏め役である幹事が使用する幹事用端末装置１と、発注段階からアルバム制作までの仕事を統括的に担うサーバ装置２と、グループ内のメンバー各々が使用する参加者端末装置３と、アルバムの制作料金を決済する決済機関が備える決済機関端末装置４と、指定され、集積されたデータ素材の各々がアルバム用紙の所定の印刷領域に印刷されるように変換する組版の仕事を担う自動組版システム５とを備える。前記各構成要素を接続するインターネット網２と、前記各構成要素の内、業者側の構成要素だけを接続するＬＡＮ３０と、を備え、サーバ装置２が纏め役となって印刷データを収集し、自動組版システム５でレイアウト出力する。【選択図】図１
2008257308.tif 000002
【特許請求の範囲】
【請求項１】
幹事用端末装置と、サーバ装置と、参加者端末装置とをインターネット網を介して双方向通信可能に接続し、前記装置間で交信しながらアルバムの制作に必要なデータを収集すると共に、自動組版システムでレイアウト済みデータに組み上げるアルバム制作システムであって、
前記サーバ装置に、
前記幹事用端末装置から送出された会員登録情報に、幹事識別番号とパスワードを付与して会員認証情報データベースと幹事データデータベースとに会員登録すると共に前記幹事識別番号と前記パスワードとをＥメールによって前記幹事用端末装置に送信する会員登録手段と、
前記幹事用端末装置から送出された主賓登録情報に、主賓識別番号を付与して主賓データデータベースに主賓登録すると共に、前記主賓識別番号に対応する参加者登録画面を前記参加者端末装置上で閲覧可能にする主賓登録手段と、
前記参加者端末装置から送出された参加者登録情報に、参加者識別番号を付与すると共に、前記参加者識別番号に対応する参加者ログイン用個別アドレスを生成し、前記参加者ログイン用個別アドレスと前記参加者登録情報とを、参加者データデータベースに参加者登録し、かつ参加者ログイン用個別アドレスへのリンクが貼られたＥメールを、前記参加者端末装置の各々に送信する参加者登録手段と、
前記参加者端末装置から送出された画像メッセージ登録情報を前記参加者データデータベースに追加登録する画像メッセージ登録手段と、
前記主賓データデータベースに登録された前記主賓登録情報と前記参加者データデータベースに登録された前記参加者登録情報とを、自動組版システムに送信して自動組版を行う組版手段と、
を備えたことを特徴とするアルバム制作システム。
【請求項２】
前記参加者登録情報に付与した参加者識別番号の総数に応じて課金することを特徴とする請求項１記載のアルバム制作システム。
【請求項３】
前記自動組版システムは、前記主賓データデータベースに登録された前記主賓登録情報および前記参加者データデータベースに登録された前記参加者登録情報を、ＸＭＬ言語で書かれたＸＭＬデータに変換する手段と、前記各情報の印刷領域の位置と印刷フォーマットとを設定するためのレイアウトテンプレートを作成するレイアウト作成手段と、前記ＸＭＬデータと前記レイアウトテンプレートとを結合させたデータを入力してレイアウト済みデータを出力する自動組版手段と、を備えることを特徴とする請求項１または請求項２記載のアルバム制作システム。
【請求項４】
幹事用端末装置と、参加者端末装置とをインターネット網を介して双方向通信可能に接続し、前記各装置と相互に通信しながらアルバムの制作に必要なデータを収集すると共に、自動組版システムでレイアウト済みデータに組み上げるサーバ装置であって、
前記幹事用端末装置から送出された会員登録情報に、幹事識別番号とパスワードを付与して会員認証情報データベースと幹事データデータベースとに会員登録すると共に前記幹事識別番号と前記パスワードとをＥメールによって前記幹事用端末装置に送信する会員登録手段と、
前記幹事用端末装置から送出された主賓登録情報に、主賓識別番号を付与して主賓データデータベースに主賓登録すると共に、前記主賓識別番号に対応する参加者登録画面を前記参加者端末装置上で閲覧可能にする主賓登録手段と、
前記参加者端末装置から送出された参加者登録情報に、参加者識別番号を付与すると共に、前記参加者識別番号に対応する参加者ログイン用個別アドレスを生成し、前記参加者ログイン用個別アドレスと前記参加者登録情報とを、参加者データデータベースに参加者登録し、かつ参加者ログイン用個別アドレスへのリンクが貼られたＥメールを、前記参加者端末装置の各々に送信する参加者登録手段と、
前記参加者端末装置から送出された画像メッセージ登録情報を前記参加者データデータベースに追加登録する画像メッセージ登録手段と、
前記主賓データデータベースに登録された前記主賓登録情報と前記参加者データデータベースに登録された前記参加者登録情報とを、自動組版システムに送信して自動組版を行う組版手段と、
を備えたことを特徴とするサーバ装置。
【発明の詳細な説明】
【技術分野】
【０００１】
本発明は、アルバム制作システムおよびサーバ装置に関し、特に、送別会、謝恩会、同窓会、卒業式、引越し等の主賓に対して贈呈することを意図したアルバムを制作するアルバム制作システムおよびサーバ装置に関する。
【背景技術】
【０００２】
近年、情報処理システムと通信環境が大きく進展し、特に、コンピュータシステムにおけるＣＰＵの性能向上および記憶容量の増大並びに印刷装置の機能向上およびインターネット網の発展・普及には目覚ましいものがある。このような背景から、従来は、印刷所や製本所の仕事であったアルバム制作についても、コンピュータ化が図られている。
例えば、ユーザが使用するパソコンに、素材ファイルがアルバム用紙の所定の印刷領域に印刷されるように変換するファイル出力変換部を備え、その出力データをフレキシブルディスクを介して印刷会社や製本所の印刷部に引き渡すと共に、制作されたアルバムを、前記パソコンからウェブページ上で閲覧可能にするアルバム制作システムが提案されている（例えば、参考文献１参照。）。
また、写真業者、管理センター（サーバ）、ラボ（現像所）およびアルバムメーカー（製本所）とをインターネット網に接続し、前記写真業者からのプリント作成指示およびアルバム制作指示を前記管理センターが受け、また、前記写真業者からのアルバム制作指示は前記アルバムメーカーが受け、これら構成要素間の全ての情報の送受信をインターネット網を介して行うアルバム制作システムが提案されている（例えば、参考文献２参照。）。
【０００３】
尚、印刷業界を取り巻く環境として、近年は、大量印刷から小ロット小部数印刷を行うＰＯＤ市場の将来性が見込まれている。また、製版・印刷会社は、顧客に対して効率化や新たな仕組みを提案することで顧客の囲い込みを図りたいが、現状では、この意図は、ほんの一部の製版・印刷会社にしか達成できていない模様である。さらに、オリジナルアルバム市場は拡大してはいるが、アルバムを購入したい消費者の手間や、ＰＣスキルに頼るところが多く、世代を越えた裾野は広がっていない。また、社会環境として、２００７年の現在、いわゆる団塊の世代は、年齢的には５８〜６０才に達しており、既に大量退職が始まっている。さらに、自動車、携帯電話等のパーソナル製品にオリジナル感を持たせるオプションが準備されており、今後も極めてその傾向が強くなり、製品の色、素材等、人間が接触する部分をカスタマイズしておく必要がある。
【０００４】
【特許文献１】「特開２００３−２３０００５号公報」
【特許文献２】「特開２００６−２７９２１１号公報」
【発明の開示】
【発明が解決しようとする課題】
【０００５】
しかしながら、上記背景技術で述べた従来のアルバム制作システムにあっては、個人が発注者となって個人的なアルバムを制作するシステムであるため、学校や法人等のグループが発注者となる場合、グループメンバーによる共同制作には適さず、特に、幹事役は、アルバム制作に必要な情報収集やアルバム編集に多大の労力を要するという問題点があった。
即ち、グループメンバーによるアルバム制作では、いわゆる「寄せ書き」のような形態のアルバムが意図されるが、従来の個人的なアルバム制作システムでは、この要求には応じられていなかった。
さらに、本発明に際して、例えば、送別会主賓へのアルバム贈呈は、サプライズと思い出とを何らかの形にしたいとの課題があった。また、送別会幹事のアルバム制作に携わる手間と労力を軽減したいとの課題があった。尚、従来の寄せ書きは、送別会主賓にとって、価値の高いオリジナルなプレゼントではあるが、制作に手間と時間が掛かるという問題点があった。
一方、製版・印刷会社としては、オンデマンドの印刷処理を新規需要分野として開拓したいとの思惑があった。
【０００６】
尚、前述の特許文献１の場合、個人的なアルバム制作システムであることに加えて、ファイル出力変換部の出力データがフレキシブルディスクを介して製本所の印刷部に引き渡されており、インターネット網が十分に活用されてはいなかった。また、素材ファイルをアルバム用紙の所定の印刷領域に印刷されるように変換するファイル出力変換の仕事は、ユーザ自身がパソコンを使用して行わなければならなかった。
また、前述の特許文献２の場合、やはり個人的なアルバム制作システムであることに加えて、最も重要なユーザ発注過程の合理化が除外されており、業者間での情報の送受信だけを合理化することを意図するアルバム制作システムに過ぎなかった。
そこで、本発明は、上記従来の問題点に鑑みてなされたものであって、
本発明の請求項１の目的は、サーバ装置が、情報収集の纏め役となることが可能であり、アルバムに掲載する主賓の情報（写真）および参加者の情報（写真とメッセージ）の収集を完了させるまでに要する時間を短縮し、かつグループの纏め役である幹事の労力負担を軽減することができるアルバム制作システムを提供することにある。
本発明の請求項２の目的は、特に、参加者の総数に応じて課金することが可能であり、固定費に相当する基本料金に、変動費に相当する参加者の総数に応じた料金が上乗せすることで合理的な料金体系となるアルバム制作システムを提供することにある。
【０００７】
本発明の請求項３の目的は、特に、自動組版をシステム化し、ＸＭＬ言語への変換や、組版等の、手間と労力を要する仕事を、全てプログラム処理できるようにすることが可能であり、アルバム制作に要する時間とコストを削減すると共に、正確な組版が得られるアルバム制作システムを提供することにある。
本発明の請求項４の目的は、特に、アルバムに掲載する主賓の情報（写真）および参加者の情報（例えば、写真とメッセージ）の収集を完了させるまでに要する時間を短縮し、かつグループの纏め役である幹事の労力負担を軽減することができるサーバ装置を提供することにある。
【課題を解決するための手段】
【０００８】
請求項１に記載した本発明に係るアルバム制作システム装置は、上述した目的を達成するために、幹事用端末装置と、サーバ装置と、参加者端末装置とをインターネット網を介して双方向通信可能に接続し、前記装置間で交信しながらアルバムの制作に必要なデータを収集すると共に、自動組版システムでレイアウト済みデータに組み上げるアルバム制作システムであって、前記サーバ装置に、前記幹事用端末装置から送出された会員登録情報に、幹事識別番号とパスワードを付与して会員認証情報データベースと幹事データデータベースとに会員登録すると共に前記幹事識別番号と前記パスワードとをＥメールによって前記幹事用端末装置に送信する会員登録手段と、前記幹事用端末装置から送出された主賓登録情報に、主賓識別番号を付与して主賓データデータベースに主賓登録すると共に、前記主賓識別番号に対応する参加者登録画面を前記参加者端末装置上で閲覧可能にする主賓登録手段と、前記参加者端末装置から送出された参加者登録情報に、参加者識別番号を付与すると共に、前記参加者識別番号に対応する参加者ログイン用個別アドレスを生成し、前記参加者ログイン用個別アドレスと前記参加者登録情報とを、参加者データデータベースに参加者登録し、かつ参加者ログイン用個別アドレスへのリンクが貼られたＥメールを、前記参加者端末装置の各々に送信する参加者登録手段と、前記参加者端末装置から送出された画像メッセージ登録情報を前記参加者データデータベースに追加登録する画像メッセージ登録手段と、
前記主賓データデータベースに登録された前記主賓登録情報と前記参加者データデータベースに登録された前記参加者登録情報とを、自動組版システムに送信して自動組版を行う組版手段と、を備えたことを特徴としている。
【０００９】
また、請求項２に記載した本発明に係るアルバム制作システムは、前記のアルバム制作システムにおいて、前記参加者登録情報に付与した参加者識別番号の総数に応じて課金することを特徴としている。
また、請求項３に記載した本発明に係るアルバム制作システムは、前記のアルバム制作システムにおいて、前記自動組版システムは、前記主賓データデータベースに登録された前記主賓登録情報および前記参加者データデータベースに登録された前記参加者登録情報を、ＸＭＬ言語で書かれたＸＭＬデータに変換する手段と、前記各情報の印刷領域の位置と印刷フォーマットとを設定するためのレイアウトテンプレートを作成するレイアウト作成手段と、前記ＸＭＬデータと前記レイアウトテンプレートとを結合させたデータを入力してレイアウト済みデータを出力する自動組版手段と、を備えることを特徴としている。
【００１０】
請求項４に記載した本発明に係るサーバ装置は、上述した目的を達成するために、幹事用端末装置と、参加者端末装置とをインターネット網を介して双方向通信可能に接続し、前記各装置と相互に通信しながらアルバムの制作に必要なデータを収集すると共に、自動組版システムでレイアウト済みデータに組み上げるサーバ装置であって、前記幹事用端末装置から送出された会員登録情報に、幹事識別番号とパスワードを付与して会員認証情報データベースと幹事データデータベースとに会員登録すると共に前記幹事識別番号と前記パスワードとをＥメールによって前記幹事用端末装置に送信する会員登録手段と、前記幹事用端末装置から送出された主賓登録情報に、主賓識別番号を付与して主賓データデータベースに主賓登録すると共に、前記主賓識別番号に対応する参加者登録画面を前記参加者端末装置上で閲覧可能にする主賓登録手段と、前記参加者端末装置から送出された参加者登録情報に、参加者識別番号を付与すると共に、前記参加者識別番号に対応する参加者ログイン用個別アドレスを生成し、前記参加者ログイン用個別アドレスと前記参加者登録情報とを、参加者データデータベースに参加者登録し、かつ参加者ログイン用個別アドレスへのリンクが貼られたＥメールを、前記参加者端末装置の各々に送信する参加者登録手段と、前記参加者端末装置から送出された画像メッセージ登録情報を前記参加者データデータベースに追加登録する画像メッセージ登録手段と、前記主賓データデータベースに登録された前記主賓登録情報と前記参加者データデータベースに登録された前記参加者登録情報とを、自動組版システムに送信して自動組版を行う組版手段と、を備えたことを特徴としている。
【発明の効果】
【００１１】
すなわち、本発明の請求項１によるアルバム制作システムは、幹事用端末装置と、サーバ装置と、参加者端末装置とをインターネット網を介して双方向通信可能に接続し、前記装置間で交信しながらアルバムの制作に必要なデータを収集すると共に、自動組版システムでレイアウト済みデータに組み上げるアルバム制作システムにおいて、前記サーバ装置に、前記幹事用端末装置から送出された会員登録情報に、幹事識別番号とパスワードを付与して会員認証情報データベースと幹事データデータベースとに会員登録すると共に前記幹事識別番号と前記パスワードとをＥメールによって前記幹事用端末装置に送信する会員登録手段と、前記幹事用端末装置から送出された主賓登録情報に、主賓識別番号を付与して主賓データデータベースに主賓登録すると共に、前記主賓識別番号に対応する参加者登録画面を前記参加者端末装置上で閲覧可能にする主賓登録手段と、前記参加者端末装置から送出された参加者登録情報に、参加者識別番号を付与すると共に、前記参加者識別番号に対応する参加者ログイン用個別アドレスを生成し、前記参加者ログイン用個別アドレスと前記参加者登録情報とを、参加者データデータベースに参加者登録し、かつ参加者ログイン用個別アドレスへのリンクが貼られたＥメールを、前記参加者端末装置の各々に送信する参加者登録手段と、前記参加者端末装置から送出された画像メッセージ登録情報を前記参加者データデータベースに追加登録する画像メッセージ登録手段と、前記主賓データデータベースに登録された前記主賓登録情報と前記参加者データデータベースに登録された前記参加者登録情報とを、自動組版システムに送信して自動組版を行う組版手段と、を備える構成であり、このような構成により、サーバ装置を情報収集の基地とすることができるので、アルバムに掲載する主賓の情報（例えば、写真）および参加者の情報（例えば、写真とメッセージ）の収集を完了させるまでに要する時間を短縮し、かつグループの纏め役である幹事の労力負担を軽減することができる。
【００１２】
また、本発明の請求項２によるアルバム制作システムは、前記のアルバム制作システムにおいて、前記参加者登録情報に付与した参加者識別番号の総数に応じて課金するものであり、固定費に相当する基本料金に、変動費に相当する参加者識別番号の総数に応じた料金が上乗せされるので、合理的な料金体系を実現することができる。
また、本発明の請求項３によるアルバム制作システムは、前記のアルバム制作システムにおいて、前記自動組版システムが、前記主賓データデータベースに登録された前記主賓登録情報および前記参加者データデータベースに登録された前記参加者登録情報を、ＸＭＬ言語で書かれたＸＭＬデータに変換する手段と、前記各情報の印刷領域の位置と印刷フォーマットとを設定するためのレイアウトテンプレートを作成するレイアウト作成手段と、前記ＸＭＬデータと前記レイアウトテンプレートとを結合させたデータを入力してレイアウト済みデータを出力する自動組版手段と、を備える構成とし、ＸＭＬ言語への変換や、組版等の、手間と労力を要する仕事を、全てプログラム処理できるようにしているので、これにより、アルバム制作に要する時間とコストの削減を実現することができる。また、事前のレイアウト設計により、正確な組版を実現することができる。
【００１３】
本発明の請求項４によるサーバ装置は、幹事用端末装置と、参加者端末装置とをインターネット網を介して双方向通信可能に接続し、前記各装置と相互に通信しながらアルバムの制作に必要なデータを収集すると共に、自動組版システムでレイアウト済みデータに組み上げるサーバ装置であって、前記幹事用端末装置から送出された会員登録情報に、幹事識別番号とパスワードを付与して会員認証情報データベースと幹事データデータベースとに会員登録すると共に前記幹事識別番号と前記パスワードとをＥメールによって前記幹事用端末装置に送信する会員登録手段と、前記幹事用端末装置から送出された主賓登録情報に、主賓識別番号を付与して主賓データデータベースに主賓登録すると共に、前記主賓識別番号に対応する参加者登録画面を前記参加者端末装置上で閲覧可能にする主賓登録手段と、前記参加者端末装置から送出された参加者登録情報に、参加者識別番号を付与すると共に、前記参加者識別番号に対応する参加者ログイン用個別アドレスを生成し、前記参加者ログイン用個別アドレスと前記参加者登録情報とを、参加者データデータベースに参加者登録し、かつ参加者ログイン用個別アドレスへのリンクが貼られたＥメールを、前記参加者端末装置の各々に送信する参加者登録手段と、前記参加者端末装置から送出された画像メッセージ登録情報を前記参加者データデータベースに追加登録する画像メッセージ登録手段と、前記主賓データデータベースに登録された前記主賓登録情報と前記参加者データデータベースに登録された前記参加者登録情報とを、自動組版システムに送信して自動組版を行う組版手段と、を備える構成であり、このような構成により、アルバムに掲載する主賓の情報（例えば、写真）および参加者の情報（例えば、写真とメッセージ）の収集を完了させるまでに要する時間を短縮し、かつグループの纏め役である幹事の労力負担を軽減することができる。
【００１４】
〔作用〕  本発明によれば、サーバ装置が、幹事用端末装置から送出された会員登録情報に、幹事識別番号とパスワードを付与して会員認証情報データベースと幹事データデータベースとに会員登録すると共に前記幹事識別番号と前記パスワードとをＥメールによって前記幹事用端末装置に送信し、また、幹事用端末装置から送出された主賓登録情報に、主賓識別番号を付与して主賓データデータベースに主賓登録すると共に、主賓識別番号に対応する参加者登録画面を参加者端末装置上で閲覧可能にする主賓登録手段と、参加者端末装置から送出された参加者登録情報に、参加者識別番号を付与すると共に、参加者識別番号に対応する参加者ログイン用個別アドレスを生成し、さらに、参加者ログイン用個別アドレスと前記参加者登録情報とを、参加者データデータベースに参加者登録し、かつ参加者ログイン用個別アドレスへのリンクが貼られたＥメールを、前記参加者端末装置の各々に送信する。また、参加者端末装置から送出された画像メッセージ登録情報を前記参加者データデータベースに追加登録し、主賓データデータベースに登録された主賓登録情報と参加者データデータベースに登録された前記参加者登録情報とを、自動組版システムに送信して自動組版を行う構成としたので、サーバ装置を情報収集の基地とすることができ、アルバムに掲載する主賓の情報（例えば、写真）および参加者の情報（例えば、写真とメッセージ）の収集を完了させるまでに要する時間を短縮し、かつグループの纏め役である幹事の労力負担を軽減し得るアルバム制作システムを提供することができる。
【００１５】
また、参加者登録情報に付与した参加者識別番号の総数に応じて課金するので、固定費に相当する基本料金に、変動費に相当する参加者識別番号の総数に応じた料金が上乗せされ、合理的な料金体系となるアルバム制作システムを提供することができる。
さらに、そのアルバム制作システムにおいては、自動組版システムにおいて、主賓データデータベースに登録された主賓登録情報および参加者データデータベースに登録された参加者登録情報を、ＸＭＬ言語で書かれたＸＭＬデータに変換し、各情報の印刷領域の位置と印刷フォーマットとを設定するためのレイアウトテンプレートを作成し、ＸＭＬデータとレイアウトテンプレートとを結合させたデータを入力してレイアウト済みデータを出力するので、ＸＭＬ言語への変換や、組版等の、手間と労力を要する仕事を、全てプログラム処理できるようにしているので、これにより、アルバム制作に要する時間とコストを削減し得るアルバム制作システムを提供することができる。また、事前のレイアウト設計により、正確な組版が得られるアルバム制作システムを提供することができる。
【発明を実施するための最良の形態】
【００１６】
以下、本発明のアルバム制作システムおよびサーバ装置の最良の実施形態について、図面を参照して詳細に説明する。  図１は、本発明の実施の形態に係るアルバム制作システムの要部の構成を示すブロック図である。同図において、本実施形態のアルバム制作システムは、グループの纏め役である幹事が使用する幹事用端末装置１と、発注段階からアルバム制作までの仕事を統括的に担うサーバ装置２と、グループ内のメンバー各々が使用する参加者端末装置３と、アルバムの制作料金を決済する決済機関が備える決済機関端末装置４と、指定され、集積されたデータ素材の各々がアルバム用紙の所定の印刷領域に印刷されるように変換する組版の仕事を担う自動組版システム５と、前記各構成要素を接続するインターネット網２０と、前記各構成要素の内、業者側の構成要素だけを接続するＬＡＮ（Local Area Network）３０と、を具備する。
【００１７】
この他に、本実施形態のサブタイトルは、組版されたアルバムデータをアルバムに印刷する印刷業者が使用する印刷業者端末装置や、印刷物を製本する製本業者が使用する製本業者端末装置を備えることができる。また、決済機関端末装置４およびその設置金融機関に関する情報を格納したデータベースを備えることができる。自動組版システム５は、本実施形態では独立したシステムとして構成したが、一般に、本発明では、自動組版システム５をサーバ装置２に含めることができる。尚、グループの幹事が、幹事であると共に参加者でもある場合は、幹事用端末装置１は、この幹事の参加者としての参加者端末装置３を兼ねるものとする。
幹事用端末装置１（図２に詳細構成例を示す）および参加者端末装置３（図３に詳細構成例を示す）は、インターネット網２０を介した通信機能を有するパーソナルコンピュータであってもよいし、ディジタルカメラ付携帯電話、その他の携帯情報端末装置であってもよい。
サーバ装置２および決済機関端末装置４は、インターネット網２０およびＬＡＮ３０を介した通信機能を有する据置型のコンピュータで構成することができる。
インターネット網２０は、公衆電話網の他に、携帯電話網と接続されている構成であってもよい。
ＬＡＮ３０は、専用通信回線ではあるが、部分的には、公衆電話網や携帯電話網で構成されるものであってもよい。また、オプショナルな構成要素であって、省略してもよい。
【００１８】
以下、本実施の形態に係るアルバム制作システムの各構成要素が備える処理機能を構成要素毎に説明する。
幹事用端末装置１（図２参照）は、サーバ装置２（図３参照）が提供するウェブページ上の会員登録画面を表示部１１６に表示する。幹事は、この会員登録画面を介して会員登録情報を入力する。これにより、サーバ装置２に対して会員登録処理が要求される。尚、この会員登録情報（ここでは幹事情報としている）として、例えば、幹事の名前、幹事の住所、幹事の電話番号、幹事のクレジットカードの番号、幹事のクレジットカードの有効期限、等の項目（属性）を設定することが可能である。但し、アルバム制作料金の決済は、必ずしもクレジットカードによるものであることは強制されず、例えば、代金引渡等の選択指定も、前記の会員登録画面を介して入力できるものとする。
これにより、サーバ装置２（図３参照）からは、Ｅメール手段により、幹事ＩＤ（識別番号）と、認証用のパスワードが、会員専用ホームページアドレスへのリンクと共に、送信されるので、幹事用端末装置１は、前記Ｅメールを受信し、幹事は、前記会員専用ホームページアドレスへの前記リンクにより、表示部１１６（図２参照）に前記会員専用ホームページを呼び出して（即ち表示させて）、当該幹事ＩＤとパスワードの入力欄に、それぞれ前記の幹事ＩＤとパスワードを入力し、これにより、ログインを行うものとする。
【００１９】
また、サーバ装置２は、主賓登録画面を前記会員専用ホームページ上に表示するので、幹事用端末装置１（図２）では、幹事が、前記表示された主賓登録画面を介して主賓情報を入力し、主賓登録を行うものとする。尚、この主賓情報として、例えば、主賓氏名、主賓写真データ、デザインテンプレートの選択、アルバムの題名、主賓へのアルバム手渡し日、等を設定することが可能である。
さらに、サーバ装置２は、参加者登録画面を前記会員専用ホームページ上に表示するので、幹事用端末装置１では、幹事が、この表示された参加者登録画面を介して参加者情報を入力し、参加者登録を行うものとする。この参加者情報として、例えば、参加者氏名、参加者Ｅメールアドレス、等を設定することが可能である。但し、参加者氏名と参加者Ｅメールアドレスは、ＣＳＶデータでのアップロードも可能である。
この後、サーバ装置２からは、料金決済画面のリンクを含むＥメールが送信されるので、幹事が、表示部１１６に前記決済画面を呼び出し、参加者氏名、参加者写真データおよび参加者メッセージの項目が全て埋まっている前記リストを参照して、参加者の確認および人数の確認を行い、データＤ１の幹事クレジット番号および幹事クレジットカード有効期限とを確認した上で、前記決済画面を介して料金の決済を行う。
【００２０】
サーバ装置２（図３参照）は、幹事用端末装置１から、提供しているウェブページ上の会員登録画面が呼び出されると、この会員登録画面を幹事用端末装置１（図２参照）の表示部１１６に表示する。その後、この会員登録画面を介して会員登録情報が幹事により入力されることにより、会員登録処理が要求される。尚、この会員登録情報（ここでは幹事情報としている）として、例えば、幹事の名前、幹事の住所、幹事の電話番号、幹事のクレジットカードの番号、幹事のクレジットカードの有効期限、等の項目（属性）を設定することが可能であるが、アルバム制作料金の決済は、必ずしもクレジットカードによるものであることを強制せず、例えば、代金引渡等の選択指定も、前記の会員登録画面を介して入力できるように構成することが可能である。
会員登録処理の要求を受信すると、サーバ装置２は、前記会員登録情報の全項目が入力されているか否かを確認し、前記全項目が入力されている場合は、幹事ＩＤとパスワードを発行する。尚、このパスワードを発行する際には、乱数を生成してパスワードとして使用することができる。また、前記項目に何か入力されていないものが有る場合は、前記のウェブページを介して入力を催促するメッセージや入力を拒否するメッセージを当該幹事用端末装置１に送信する。
【００２１】
この会員登録が完了すると、前記会員登録情報に前記発行された幹事ＩＤとパスワードが付与されたデータを、サーバ装置２（図３）内の幹事データデータベースＤＢ２２（図３）に格納する。さらに、前記の幹事ＩＤとパスワードを、前記会員専用ホームページアドレスへのリンクと共に、Ｅメール手段により、幹事用端末装置１（図２）に送信する。この応答として、幹事用端末装置１からログインがなされると、前記ログインされた幹事ＩＤとパスワードを基に、幹事データデータベースＤＢ２２に格納されている会員登録情報＋幹事ＩＤ＋パスワードの情報を照合し、この照合がとれると、会員登録情報＋幹事ＩＤ＋パスワードを会員認証情報ＤＢ２１に登録して、次回からの本システム利用に備えると共に、当該幹事ＩＤに対応する前記情報にリンク付けされた主賓登録画面を作成し、この主賓登録画面を前記会員専用ホームページを表示する幹事用端末装置１（図２）の表示部１１６に表示する。尚、前記主賓登録画面に入力される主賓情報には、例えば、主賓氏名、主賓写真データ、デザインテンプレートの選択、アルバムの題名、主賓へのアルバム手渡し日、等を設定することが可能である。
【００２２】
その後、幹事用端末装置１から、前記主賓登録画面を介して主賓情報が入力され、主賓登録が行われると、サーバ装置２は、この主賓登録情報に対して主賓氏名に対応する主賓ＩＤを付与したものを主賓データデータベースＤＢ２３に格納し、かつ主賓の画像データ本体は自動組版システムデータベースＤＢ２６の画像ファイルに格納すると共に、当該主賓ＩＤに対応する前記主賓登録情報にリンク付けされた参加者登録画面を作成し、この参加者登録画面を前記会員専用ホームページを表示する幹事用端末装置１（図２）の表示部１１６に表示する。その後、幹事用端末装置１から、前記表示された参加者登録画面を介して参加者情報が入力されるのを待つ。尚、この参加者情報として、例えば、参加者氏名、参加者Ｅメールアドレス、等を設定することが可能である。但し、参加者氏名と参加者Ｅメールアドレスは、ＣＳＶデータでのアップロードを可能してもよい。
前記参加者登録画面を介して参加者情報が入力されると、サーバ装置２は、参加者登録情報に含まれる参加者氏名の各々に対して参加者ＩＤを付与し、参加者ＩＤの各々に対応した参加者ログイン用個別アドレスを生成すると共に、前記参加者登録情報と前記参加者ログイン用個別アドレスとを参加者データデータベースＤＢ２４に格納すると共に、前記参加者ログイン用個別アドレスへのリンクを貼ったＥメールを参加者端末装置３の各々に送信する。
【００２３】
ここで、このＥメールアドレスは、前述の参加者登録情報に含まれる参加者Ｅメールアドレスとする。その後、参加者端末装置３から、前記参加者ログイン画面を介して画像データとテキストデータが登録されるのを待つ。尚、前記の画像データとテキストデータは、例えば、印刷データに含める参加者写真データと参加者メッセージである。前記参加者ログイン画面を介して画像データとテキストデータが登録されると、サーバ装置２は、各々の参加者ＩＤに対して、対応する前記の画像データとテキストデータ（ここでは参加者写真データと参加者メッセージ）をリンク付けし、参加者データデータベースＤＢ２４に改めて格納し直し、かつ画像データ（参加者写真データ）本体については自動組版システムデータベースＤＢ２６の画像ファイルに格納すると共に、主賓データデータベースＤＢ２３（図３）に格納されている前述の主賓登録情報等を参照し、この情報に含まれる「主賓へのアルバム手渡し日」より５日前に、前記の参加者登録情報における画像データとテキストデータ（例えば、参加者写真データと参加者メッセージ）が空欄となっている場合に、前記の参加者登録情報に含まれる参加者ＥメールアドレスにＥメールすることによって該当する参加者端末装置３に対して通知する。この時、前記の参加者ログイン画面と共に前記の参加者登録情報＋参加者ＩＤの情報を参加者端末装置３の前記表示部が表示する前記会員専用ホームページ上の所定のウェブページに表示し、その空欄が埋められるように催促する。その後、サーバ装置２は、前記の参加者登録情報＋参加者ＩＤでもって参加者データデータベースＤＢ２４の内容を更新する。
【００２４】
引き続き、サーバ装置２は、前記の各データベース内の各データを参照し、主賓へのアルバム手渡し日より３日前に参加者の参加者ログイン画面によるログインを不可とすると共に、所定の受付終了画面と料金決済画面とを前記会員専用ホームページ上の所定のウェブページに生成し、前記料金決済画面のウェブページを含む前記会員専用ホームページへのリンクを貼ったＥメールを幹事用端末装置１（図２）に送信する。尚、ここで、前記料金決済画面の生成は、参加者データデータベースＤＢ２４（図３）に格納されている参加者登録情報＋参加者ＩＤの情報の、参加者氏名（登録）、参加者Ｅメールアドレス、参加者ログイン用個別アドレス、参加者写真データおよび参加者メッセージが全て埋まっている参加者ＩＤの個数をカウントし、所定の単価×参加者ＩＤ数＋基本料金を求めて確認した後に行うものとする。従って、この料金決済画面には、前述の参加者登録情報＋参加者ＩＤの情報の内、少なくとも、参加者氏名、参加者写真データおよび参加者メッセージが、リスト形式で併記するものとする。
以上の処理が全て完了するか、若しくは以上の処理が全て完了し、かつ料金が決済された場合には、サーバ装置２は、自動組版システム５に対して組版要求を送信する。尚、前述のとおり、自動組版システム５は、サーバ装置２内に備えることも可能であるから、この場合は、サーバ装置２内で組版を行うものとする。
【００２５】
参加者端末装置３は、サーバ装置２から、参加者ログイン用個別アドレスがリンク付けされた参加者ログイン画面がＥメールで送信されると、参加者が、前記Ｅメールに貼られた参加者ログイン用個別アドレスへのリンクによって、参加者端末装置３の表示部に参加者ログイン画面を表示させ、前記表示された参加者ログイン画面を介して画像メッセージ登録情報（画像データとテキストデータ）の登録を行う
なお、自動組版システム５の機能については後述する。
図２は、本発明の実施の形態に係るアルバム制作システムにおける幹事用端末装置１の一構成例を示す構成図である。
同図に例示する幹事用端末装置１は、インターネット網２０を介した通信機能および全体の制御機能を有する制御部１１と、幹事データを格納している幹事データデータベースＤＢ１と、主賓データを格納している主賓データデーベースＤＢ２と、参加者データを格納している参加者データデータデーベースＤＢ３と、画像データ本体を格納している画像データデータデーベースＤＢ４と、を備えて構成される。
【００２６】
制御部１１は、本装置全体を管理する主制御部１１１と、主制御部１１１が実行する制御プログラム、処理プログラムおよびデータ等を格納するＲＡＭ１１０と、インターネット網２０に対応した通信プロトコルとブラウザ機能とを備えてサーバ装置２と相互に通信する通信処理部１１２と、前記の各データベース（ＤＢ１〜４）を制御するデータベース管理部１１３と、補助的な画像データや追加される画像データを入力する画像データ入力部１１４と、データや指令を入力するデータ入力部１１５と、ウェブページを閲覧可能に表示する表示部１１６と、を備える。
幹事データデータベースＤＢ１には、会員データとして、例えば、幹事の名前、幹事の住所、幹事の電話番号、幹事のクレジットカードの番号、幹事のクレジットカードの有効期限、等が格納されている。尚、幹事データデータベースＤＢ１には、幹事の幹事ＩＤとパスワードを格納しておくことも可能である。主賓データデータベースＤＢ２には、主賓データとして、例えば、主賓氏名、主賓写真データ、デザインテンプレートの選択、アルバムの題名、主賓へのアルバム手渡し日、等が格納されている。参加者データデータベースＤＢ３には、参加者データとして、例えば、参加者氏名、参加者Ｅメールアドレス、等が格納されている。画像データデータベースＤＢ４には、自動組版システム５が使用する画像データ本体（画像情報の実情報）が格納されている。この画像データ本体とは、具体的には、主賓データデータベースＤＢ２に格納さている主賓の写真データ参照名に対応する写真データ本体や、参加者データデータベースＤＢ３に格納さている参加者の写真データに参照名に対応する写真データ本体である。
【００２７】
データ入力部１１５は、表示部１１６の表示画面上の情報を指定するためのマウスや各種入力画面に示された入力欄の情報を入力するためのキーボード等を備えることができる。表示部１１６の表示画面をタッチパネルとして構成することも可能であり、この場合はタッチペンを備えることも可能である。
制御部１１は、上記の各構成要素を制御すると共に、少なくとも、前述のアルバム制作の処理機能（図１）を実現するための処理を行う。
図３は、本発明の実施の形態に係るアルバム制作システムにおけるサーバ装置２の一構成例を示す構成図である。
同図において、サーバ装置２は、全体を制御する制御部２１と、会員認証の個人情報を格納する会員認証情報データベースＤＢ２１と、アルバム作成に必要な会員データ（幹事データ）を格納する幹事データデータベースＤＢ２２と、アルバム作成に必要な主賓データを格納する主賓データデータベースＤＢ２３と、アルバム作成に必要な参加者データを格納する参加者データデータベースＤＢ２４と、アルバム作成に必要な各種入力画面等をウェブページに提供するウェブページデータベースＤＢ２５と、制作されるアルバムの組版の際に必要となる画像データ本体等を格納する自動組版システムＤＢ２６と、を備えて構成される。
【００２８】
制御部２１は、他の構成要素の処理を分担すると共に他の構成要素を制御する主制御部２１１と、制御プログラムおよび通帳の注文処理に必要なプログラム並びにデータを記憶するＲＡＭ２１２と、回線接続を制御する回線制御部２１３と、インターネット網２０およびＬＡＮ３０とのプロトコルを備えて他の端末装置との通信を行う通信制御部２１４と、ウェブページデータベースＤＢ２５に格納された各種入力画面を含む会員専用ホームページを、ウェブページとしてアクセス可能にするウェブサーバ２１５と、データベースＤＢ２１〜２６を制御するデータベース管理部２１６と、アルバム制作に必要なデータや指令を入力する入力部２１７と、アルバム制作に必要なデータや指令を表示する表示部２１８と、を備える。
この他に、自動組版システム５を備えることも可能である。
主制御部２１１は、本サーバ全体を制御すると共に、少なくとも、前述のアルバム制作の処理機能（図１）を実現するための処理を行う。
ＲＡＭ２１２は、本サーバ全体を制御するための制御プログラムおよびアルバム制作の処理に必要なプログラムやデータを記憶すると共に、前記の各処理の実行に必要な一時的データ（テンポラリデータ）を記憶する。
【００２９】
回線制御部２１３は、本サーバを、インターネット網２０およびＬＡＮ３０を介して他の端末装置と双方向通信可能に接続するための通信プロトコルを備えるが、この他に、デジタル終端接続装置（ＤＳＵ）や侵入防止用のファイアウォールアプリケーションを実装したルータなどを備えて構成することができる。
通信制御部２１４は、ウェブサーバ２１５を制御すると共に、複数の幹事用端末装置１、複数の参加者端末３および決済機関端末装置４、並びに自動組版システム５と選択的に通信するための制御を実行する。なお、この通信制御部２１４は、例えば、インターネット上での時刻同期用ＮＴＰ（Network Time Protocol）サーバ、分散ファイルシステム用のＮＦＳ（Network File System)サーバなどを備えることができる。
通信制御部２１４は、さらに、個人情報などの秘密保持のための暗号化データ転送用の暗号化通信プロトコルを保持し、ＳＳＬ（Secure Sockets Layer）サーバの制御を実行することができる。
ウェブサーバ２１５は、インターネット網２０上で基幹的な通信処理（ブラウジング）を実行するための主コンピュータとして動作する。このウェブサーバ２１５は、前記インターネット網上に開設される会員専用ホームページを運営するものであり、この会員専用ホームページは、各種入力画面を含む。
【００３０】
また、会員募集用の案内ウェブページを含むように構成することも可能である。また、このウェブサーバ２１５は、幹事用端末装置１や参加者端末装置３等から前記会員専用ホームページのアクセスがなされた時、前記ホームページを通信制御部２１４を介して前記端末装置に送信する制御を行う。
データベース管理部２１６は、入出力バス３２０を介して、前記のデータベースＤＢ２１〜２６を管理する。この管理には、オペレーティングシステムによるファイルの排他制御（占有制御）や、バッファリング技法が含まれる。
図４乃至７は、本発明の実施の形態に係るアルバム制作システムの組版処理以前の処理手順とデータの流れとを示すフローチャート図である。
以下、図１乃至３を参照しながら、本実施の形態に係るアルバム制作システムの処理手順とデータの流れとを説明する。
まず、幹事用端末装置１（図２）は、サーバ装置２（図１，３）が提供するウェブページ上の会員登録画面を表示部１１６に表示し、この会員登録画面を介して会員登録情報が幹事により入力され、これにより、サーバ装置２に対して会員登録処理が要求される（ステップＳ１）。尚、この会員登録情報（ここでは幹事情報としている）は、会員データＤ１に示すとおり、幹事の名前、幹事の住所、幹事の電話番号、幹事のクレジットカードの番号、幹事のクレジットカードの有効期限、等の項目（属性）を有するものとするが、アルバム制作料金の決済は、必ずしもクレジットカードによるものであることは強制されず、例えば、代金引渡等の選択指定も、前記の会員登録画面を介して入力できるものとする。
【００３１】
これにより、サーバ装置２（図３）は、前記会員データＤ１の項目が全て入力されているか否かを確認し、前記項目が全て入力されている場合は、幹事ＩＤとパスワードを発行する。尚、このパスワード発行する際には、乱数を生成してパスワードとして使用することができる。また、前記項目に何か入力されていないものが有る場合は、前記のウェブページを介して入力を催促するメッセージや入力を拒否するメッセージが送信される（ステップＳ２１）。会員登録が完了すると、前記会員データＤ１に前記発行された幹事ＩＤとパスワードが付与されたデータが、会員データＤ２１ｉ（ここでは会員データＤ２１１）として、幹事データベースＤＢ２２（図３）に格納される。ここで、図４に示す会員データＤ２１１は、この複数の会員データ（即ち、幹事データ）の内、先頭のものを示したものであり、前記発行された幹事ＩＤとパスワードに会員データＤ２１１が付加されたものである。前記の幹事ＩＤとパスワードは、会員専用ホームページアドレスへのリンクと共に、Ｅメール手段により、幹事用端末装置１（図２）に送信される。これにより、幹事用端末装置１は、前記Ｅメールを受信し、幹事は、前記会員専用ホームページアドレスへの前記リンクにより、表示部１１６に前記会員専用ホームページを呼び出して、その幹事ＩＤとパスワードの入力欄に、それぞれ、前記の幹事ＩＤとパスワード（キーデータＤ２）を入力し、これにより、ログインを行う（ステップＳ２）。
【００３２】
これにより、サーバ装置２（図３）は、前記ログインされた幹事ＩＤとパスワードを基に、幹事データベースＤＢ２２に格納されている会員データＤ２１１を照合する。この照合がとれると、会員登録情報＋幹事ＩＤ＋パスワードを会員認証情報ＤＢ２１に登録して、次回からの本システム利用に備えると共に、当該幹事ＩＤに対応する会員データＤ２１ｉ（ここではデータＤ２１１）にリンク付けされた主賓登録画面を作成し、この主賓登録画面を前記会員専用ホームページを表示する幹事用端末装置１（図２）の表示部１１６に表示する（ステップＳ２２）。これにより、幹事用端末装置１（図２）では、幹事が、前記表示された主賓登録画面を介して主賓情報を入力し、主賓登録を行う（ステップＳ３・図５）。尚、この主賓情報は、主賓データＤ３に示すとおり、主賓氏名、主賓写真データ、デザインテンプレートの選択、アルバムの題名、主賓へのアルバム手渡し日、を有するものとする。
これにより、サーバ装置２（図３）は、主賓データＤ３に対して主賓氏名に対応する主賓ＩＤを付与したものを主賓データＤ２２ｉ（ここでは主賓データＤ２２１）として主賓データデータベースＤＢ２３に格納すると共に、当該主賓ＩＤに対応する主賓データＤ２２ｉ（ここでは主賓データＤ２２１）にリンク付けされた参加者登録画面を作成し、かつ主賓の画像データ本体は自動組版システムデータベースＤＢ２６の画像ファイルに格納すると共に、この参加者登録画面を前記会員専用ホームページを表示する幹事用端末装置１（図２）の表示部１１６に表示する。
【００３３】
これにより、幹事用端末装置１では、幹事が、前記表示された参加者登録画面を介して参加者情報を入力し、参加者登録を行う（ステップＳ４）。尚、この参加者情報は、参加者データＤ４に示すとおり、参加者氏名、参加者Ｅメールアドレス、を有するものとする（ここで、参加者氏名と参加者Ｅメールアドレスは、ＣＳＶデータでのアップロードが可能である）。
これにより、サーバ装置２（図３）は、参加者データＤ４の参加者氏名の各々に対して参加者ＩＤを付与し、前記参加者ＩＤの各々に対応する参加者ログイン用個別アドレスを生成すると共に、前記参加者情報と前記参加者ログイン用個別アドレスとを参加者データＤ２３ｉ（ここでは参加者データＤ２３１）として、参加者データデータベースＤＢ２４（図３）に格納すると共に、当該参加者ＩＤの各々に対応する参加者ログイン用個別アドレスへのリンクを貼ったＥメールを、参加者端末装置３の各々に送信する（ステップＳ２４）。ここで、このＥメールアドレスは、前述の参加者データＤ２３１に含まれる参加者Ｅメールアドレスとする。これにより、参加者端末装置３では、参加者が、前記Ｅメールに貼られた参加者ログイン用個別アドレスへのリンクによって、参加者端末装置３の表示部に参加者ログイン画面を表示させ、前記表示された参加者ログイン画面を介して画像メッセージ登録情報（画像データとテキストデータ）の登録を行う（ステップＳ３１・図６）。尚、ここでは、前記の画像データとテキストデータは、印刷データＤ３１１に示す参加者写真データと参加者メッセージとする。
【００３４】
これにより、サーバ装置２（図３）は、参加者データＤ２３１の参加者ＩＤに対して、前記の画像データとテキストデータ（ここでは参加者写真データと参加者メッセージ）をリンク付けし、参加者データＤ２３ｉ（ここでは参加者データＤ２３１）として、参加者データデータベースＤＢ２４に改めて格納し直し、かつ画像データ（参加者写真データ）本体については自動組版システムデータベースＤＢ２６の画像ファイルに格納すると共に、主賓データデータベースＤＢ２３（図３）に格納されている前述のデータＤ２２１を参照し、当該データＤ２２１に含まれる「主賓へのアルバム手渡し日」より５日前に、前記の参加者データＤ２３ｉ（ここでは参加者データＤ２３１）における画像データとテキストデータ（ここでは参加者写真データと参加者メッセージ）が空欄となっている場合に、参加者データＤ２３ｉ（ここでは参加者データＤ２３１）に含まれる参加者ＥメールアドレスにＥメールすることによって該当する参加者端末装置３に対して通知すると共に、前記の参加者ログイン画面と共に前記のデータＤ２４１を参加者端末装置３の前記表示部が表示する前記会員専用ホームページ上の所定のウェブページに表示し、この空欄が埋められるように催促する（ステップＳ２５）（図６）。ステップＳ２５の処理が完了すると、サーバ装置２は、前記の参加者データＤ２３ｉ（ここでは参加者データＤ２３１）でもって参加者データベースＤＢ２４の内容を更新した後、ステップＳ２６に移る（図７）。
【００３５】
ステップＳ２６では、サーバ装置２（図３）は、前記の各データベース内の各データを参照し、主賓へのアルバム手渡し日より３日前に参加者の参加者ログイン画面によるログインを不可とすると共に、所定の受付終了画面と料金決済画面とを前記会員専用ホームページ上の所定のウェブページに生成し、前記料金決済画面のウェブページを含む前記会員専用ホームページへのリンクを貼ったＥメールを幹事用端末装置１（図２）に送信する（ステップＳ２６）。尚、ここで、前記料金決済画面の生成は、参加者データデータベースＤＢ２４（図３）に格納されているデータＤ２３ｉ（ここでは参加者データＤ２３１）の、参加者氏名（登録）、参加者Ｅメールアドレス、参加者ログイン用個別アドレス、参加者写真データおよび参加者メッセージが全て埋まっている参加者ＩＤの個数をカウントし、所定の単価×参加者ＩＤ数＋基本料金を求めて確認した後に行うものとする。従って、この料金決済画面には、データＤ２３ｉ（ここでは参加者データＤ２３１）の内、少なくとも、参加者氏名、参加者写真データおよび参加者メッセージが、リスト形式で併記されているものとする。
これにより、幹事用端末装置１（図２）では、幹事が、表示部１１６に前記決済画面を呼び出し、参加者氏名、参加者写真データおよび参加者メッセージの項目が全て埋まっている前記リストを参照して、参加者の確認および人数の確認を行い、データＤ１の幹事クレジット番号および幹事クレジットカード有効期限とを確認した上で、前記決済画面を介して料金の決済を行う（ステップＳ５）。
【００３６】
以下、本実施の形態に係るアルバム制作システムにおける組版処理について説明する。
図８は、制作するアルバムにおいて主賓の画像データを印刷する紙面の作成手順を概略説明する説明図である。
同図に示すように、自動組版システム５は、まず、主賓データデータベースＤＢ２３に格納されている主賓データＤ２２ｉ（図４参照、ここでは主賓データＤ２２１とする）を、自動組版プログラムで解読可能なＸＭＬ言語に変換する。尚、データＤ２２ｉには、主賓の画像データ本体を除く主賓データが記憶されており、主賓の画像データ本体は自動組版システムデータベースＤＢ２６に格納されている（主賓の画像データ本体は、自動組版プログラムを実行する時点以前では必要とされず、ファイル名だけが引用される）。
他方、デザインテンプレートとして、主賓データを前記紙面に印刷する位置やフォーマットの指定を設定画面を介して行い、これにより、主賓の画像データを印刷する紙面を印刷するための自動組版プログラムを実行する準備が完了する。
【００３７】
図９は、制作するアルバムにおいて参加者の画像データを含む寄せ書き頁を印刷する紙面の作成手順を概略説明する説明図である。同図に示すように、自動組版システム５は、まず、参加者データデータベースＤＢ２４に格納されている参加者データＤ２４ｉ（図４参照）の各々（ここでは主賓データＤ２２ｉとする）を、自動組版プログラムで解読可能なＸＭＬ言語に変換する。尚、データＤ２４ｉには、参加者の画像データ本体を除く参加者データが記憶されており、参加者の画像データ本体は、自動組版システムデータベースＤＢ２６に格納されている（参加者の画像データ本体は、自動組版プログラムを実行する時点以前では必要とされず、ファイル名だけが引用される）。
他方、デザインテンプレートとして、参加者データを前記紙面に印刷する位置やフォーマットの指定を設定画面を介して行い、これにより、参加者の画像データを含む寄せ書き頁を印刷するための自動組版プログラムを実行する準備が完了する。
図１０は、本発明の実施の形態に係るアルバム制作システムにおけるデザインテンプレートと組版される印刷紙面との関係を概略説明する説明図である。
【００３８】
同図は、概略説明であるので、画像データを記憶する画像ファイルの存在は示しておらず、また、あくまで、デザインテンプレートと組版される印刷紙面との関係（主として位置関係）だけを示している（詳細は後述する）。
図１１は、本発明の実施の形態に係るアルバム制作システムの自動組版システム５における組版処理の処理手順を示すフローチャート図である。
まず、ＸＭＬ変換プログラムにより、原稿データ（主賓データＤ２２ｉや参加者データＤ２４ｉ）を、自動組版プログラムが解読できるＸＭＬデータに変換し（ステップＳ５１）、この変換で得られたＸＭＬデータをステップＳ５３の結合処理に送出する。次に、レイアウト作成ツールが、前述のデザインテンプレートを作成するための指定された処理を行い、作成したデザインテンプレートをステップＳ５３の結合処理に送出する（ステップＳ５２）。
ステップ５３では、前記ＸＭＬデータと、前記デザインテンプレートとを結合し、レイアウト済みデータを得るが、この時、必要な画像データ本体は画像ファイルから取得する。
【００３９】
図１２は、自動組版システム５に入力される原稿データの種類を示す説明図である。同図に示すように、自動組版システム５には、原稿データ（図１１参照）として、幹事データデータベースＤＢ２２（図３）に格納され、前述の各幹事ＩＤとリンクされた前述の会員データＤ２１ｉ（ここではデータＤ２１１）と、主賓データデータベースＤＢ２３（図３）に格納され、前述の各主賓ＩＤにリンクされた前述の主賓データＤ２２ｉ（ここではデータＤ２２１）と、参加者データデータベースＤＢ２４（図３）に格納され、前述の各参加者ＩＤにリンクされた前述の参加者データＤ２４ｉ（ここではデータＤ２４１）と、が入力される。これらのデータ構造は、一般的なリスト構造で構わないが、処理の利便を図るためにリレーショナルデータベース構造とすることも可能である。
図１３は、自動組版システム５における主賓用のレイアウトテンプレートを作成する方法を示す説明図である。同図では、主賓データＤ２２ｉのレイアウトテンプレート（即ち、印刷位置とデータフォーマットを含む情報）が示されている。レイアウト作成ツール（図１１参照）の設定画面により、まず、デザインテンプレートの位置とフォーマット（ここでは画像サイズ）を指定する。引き続き、設定画面により、主賓氏名の位置とフォーマット（ここでは、フォント種類、フォントサイズ、付加データ（ここでは「様」））を指定する。次に、題名の位置とフォーマット（ここでは、フォント種類、フォントサイズ）を指定する。最後に、主賓写真の位置とフォーマット（ここでは画像サイズ）を指定する。これにより、主賓データＤ２２ｉのレイアウトテンプレートが作成される（図１１のステップＳ５２参照）。
【００４０】
図１４は、自動組版システム５において主賓の原稿データをＸＭＬ言語の印刷データに変換する手順を示す説明図である。
同図では、主賓データデータベースＤＢ２３（図３）に格納された前述の主賓データＤ２２ｉ（ここではデータＤ２２１）を、ＸＭＬ言語の印刷データであるＸＭＬデータ（図１１参照）に変換する手順を示している。この変換は、ＸＭＬ変換プログラム（図１１参照）の実行により行われる（図１１のステップＳ５１参照）。
図１５は、自動組版システム５において主賓のＸＭＬ言語の印刷データとレイアウトテンプレートとの結合処理の処理内容を説明する説明図である。
同図では、主賓データデータベースＤＢ２３（図３）に格納された前述の主賓データＤ２２ｉ（ここではデータＤ２２１）がＸＭＬ言語の印刷データに変換されて成る前述のＸＭＬデータ（図１１参照）と、主賓データＤ２２ｉ（ここではデータＤ２２１）を対象として作成された前述のレイアウトテンプレートとを結合するステップＳ５３（図１１参照）における結合処理の処理内容を示している。
【００４１】
図１６は、自動組版システム５における自動組版プログラムの出力結果である主賓のレイアウト済データが作成される過程を説明する説明図である。
同図では、前述の結合処理（図１１のステップＳ５３）により得られた前述の主賓のＸＭＬデータから主賓のレイアウト済データを作成する処理（図１１のステップＳ５４）を示しているが、この時、リンクされている画像データ本体は、自動組版システムデータベースＤＢ２６に格納された画像ファイルから読み出される（図１１参照）。
図１７は、自動組版システム５における参加者用のレイアウトテンプレートを作成する方法を示す説明図である。同図では、参加者データＤ２４ｉのレイアウトテンプレート（即ち、印刷位置とデータフォーマットを含む情報）が示されている。レイアウト作成ツール（図１１参照）の設定画面により、まず、デザインテンプレートの位置とフォーマット（ここでは画像サイズ）を指定する。引き続き、設定画面により、参加者氏名の位置とフォーマット（ここでは、フォント種類とフォントサイズ）を指定する。次に、参加者メッセージの位置とフォーマット（ここでは、フォント種類、フォントサイズ）を指定する。最後に、参加者写真の位置とフォーマット（ここでは画像サイズ）を指定する。これにより、参加者データＤ２４ｉのレイアウトテンプレートが作成される（図１１のステップＳ５２参照）。
【００４２】
図１８は、自動組版システム５において参加者の原稿データをＸＭＬ言語の印刷データに変換する手順を示す説明図である。
同図では、参加者データデータベースＤＢ２４（図３）に格納された前述の参加者データＤ２４ｉ（ここではデータＤ２４１）を、ＸＭＬ言語の印刷データであるＸＭＬデータ（図１１参照）に変換する手順を示している。この変換は、ＸＭＬ変換プログラム（図１１参照）の実行により行われる（図１１のステップＳ５１参照）。
図１９は、自動組版システム５において参加者のＸＭＬ言語の印刷データとレイアウトテンプレートとの結合処理の処理内容を説明する説明図である。
同図では、参加者データデータベースＤＢ２４（図３）に格納された前述の参加者データＤ２４ｉ（ここではデータＤ２４１）がＸＭＬ言語の印刷データに変換されて成る前述のＸＭＬデータ（図１１参照）と、参加者データＤ２４ｉ（ここではデータＤ２４１）を対象として作成された前述のレイアウトテンプレートとを結合するステップＳ５３（図１１参照）における結合処理の処理内容を示している。
【００４３】
図２０は、自動組版システム５における自動組版プログラムの出力結果である参加者のレイアウト済データが作成される過程を説明する説明図である。
同図では、前述の結合処理（図１１のステップＳ５３）により得られた前述の参加者のＸＭＬデータから参加者のレイアウト済データを作成する処理（図１１のステップＳ５４）を示しているが、この時、リンクされている画像データ本体は、自動組版システムデータベースＤＢ２６に格納された画像ファイルから読み出される（図１１参照）。
なお、本発明に係るアルバム制作システムの各構成要素の処理の少なくとも一部をコンピュータ制御により実行するものとし、かつ、上記処理を、図４〜７，１１の各フローチャートで示した手順によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ，パーソナルコンピュータ，汎用コンピュータを範疇に含むコンピュータが、上記の記録媒体から上記プログラムを読み出して、実行するものとしてもよい。
【００４４】
尚、本発明は、上述し、且つ図面に示したものに限定されるものではなく、本発明の要旨を逸脱しない範囲で、種々の変形実施をすることができる。
例えば、上述した例では定年で退職される人を主賓とし、その関係者が参加者となって送別会を開催し、その際に、手渡すべき寄せ書きと写真を付したアルバムを制作するシステムについて説明したが、送別会に限らず、謝恩会、卒業式、結婚式、発表会など各種会合における記念アルバムの制作にも適用可能である。
また、幹事という用語は、一般的には、「主となって事務を担当する人」、「世話人」、「まとめ役」などの意味を含むが、必ずしも幹事という概念に固定されるものではなく、参加者を代表して、当該の会合の準備をし、実行する役割の人を含むものとする。
また、Ｄ３１１に示す「参加者メッセージ」としては、テキストデータだけでなく、ペン入力システム、画像入力装置等から入力された手書文字やイラスト等の画像データを、参加者画像データと同じように自動組版システムデータベースＤＢ２６の画像ファイルに格納することにより、アルバム作成システムに使用することも可能である。
【図面の簡単な説明】
【００４５】
【図１】本発明の実施の形態に係るアルバム制作システムの要部の構成を示すブロック図である。
【図２】本発明の実施の形態に係るアルバム制作システムにおける幹事用端末装置の一構成例を示す構成図である。
【図３】本発明の実施の形態に係るアルバム制作システムにおけるサーバ装置２の一構成例を示す構成図である。
【図４】本発明の実施の形態に係るアルバム制作システムの組版処理以前の処理手順とデータの流れとを示すフローチャート図（１／４）である。
【図５】本発明の実施の形態に係るアルバム制作システムの組版処理以前の処理手順とデータの流れとを示すフローチャート図（２／４）である。
【図６】本発明の実施の形態に係るアルバム制作システムの組版処理以前の処理手順とデータの流れとを示すフローチャート図（３／４）である。
【図７】本発明の実施の形態に係るアルバム制作システムの組版処理以前の処理手順とデータの流れとを示すフローチャート図（４／４）である。
【図８】制作するアルバムにおいて主賓の画像データを印刷する紙面の作成手順を概略説明する説明図である。
【図９】制作するアルバムにおいて参加者の画像データを含む寄せ書き頁を印刷する紙面の作成手順を概略説明する説明図である。
【図１０】本発明の実施の形態に係るアルバム制作システムにおけるデザインテンプレートと組版される印刷紙面との関係を概略説明する説明図である。
【図１１】本発明の実施の形態に係るアルバム制作システムの自動組版システムにおける組版処理の処理手順を示すフローチャート図である。
【図１２】自動組版システムに入力される原稿データの種類を示す説明図である。
【図１３】自動組版システムにおける主賓用のレイアウトテンプレートを作成する方法を示す説明図である。
【図１４】自動組版システムにおいて主賓の原稿データをＸＭＬ言語の印刷データに変換する手順を示す説明図である。
【図１５】自動組版システムにおいて主賓のＸＭＬ言語の印刷データとレイアウトテンプレートとの結合処理の処理内容を説明する説明図である。
【図１６】自動組版システムにおける自動組版プログラムの出力結果である主賓のレイアウト済データが作成される過程を説明する説明図である。
【図１７】自動組版システムにおける参加者用のレイアウトテンプレートを作成する方法を示す説明図である。
【図１８】自動組版システムにおいて参加者の原稿データをＸＭＬ言語の印刷データに変換する手順を示す説明図である。
【図１９】自動組版システムにおいて参加者のＸＭＬ言語の印刷データとレイアウトテンプレートとの結合処理の処理内容を説明する説明図である。
【図２０】自動組版システムにおける自動組版プログラムの出力結果である参加者のレイアウト済データが作成される過程を説明する説明図である。
【符号の説明】
【００４６】
１  幹事用端末装置
２  サーバ装置
３  参加者端末装置
４  決済機関端末装置
５  自動組版システム
２０  インターネット網
３０  ＬＡＮ
１１  制御部
１１０，２１２  ＲＡＭ
１１１，２１１  主制御部
１１２  通信処理部
１１３  データベース管理部
１１４  画像データ入力部
１１５，２１７  入力部
１１６，２１８  表示部
２１３  回線制御部
２１４  通信制御部
２１５  ウェブサーバ
２１６  データベース管理部
ＤＢ１，ＤＢ２２  幹事データデータベース
ＤＢ２，ＤＢ２３  主賓データデータベース
ＤＢ３，ＤＢ２４  参加者データデータベース
ＤＢ４  画像データデータベース
ＤＢ２１  会員認証情報データベース
ＤＢ２６  自動組版システムデータベース
【図１】
2008257308.tif 000003
【図２】
2008257308.tif 000004
【図３】
2008257308.tif 000005
【図４】
2008257308.tif 000006
【図５】
2008257308.tif 000007
【図６】
2008257308.tif 000008
【図７】
2008257308.tif 000009
【図８】
2008257308.tif 000010
【図９】
2008257308.tif 000011
【図１０】
2008257308.tif 000012
【図１１】
2008257308.tif 000013
【図１２】
2008257308.tif 000014
【図１３】
2008257308.tif 000015
【図１４】
2008257308.tif 000016
【図１５】
2008257308.tif 000017
【図１６】
2008257308.tif 000018
【図１７】
2008257308.tif 000019
【図１８】
2008257308.tif 000020
【図２０】
2008257308.tif 000021
【図１９】
2008257308.tif 000022